(57)【要約】【課題】  汗を最もかきやすい背肌に対し直に空気を流通させて通気性を良好にし、しかもファッション性に優れた、背中にメッシュ部を有するシャツを提供する。【解決手段】  素肌に直接着用することを目的とするタイプのシャツにおいて、  シャツの背面の首元または肩付近から下部にかけてシャツの生地をＶ字形状，Ｕ字形状または多角形状で切り抜き、この切り抜き部分にメッシュ生地を縫製する。これによりメッシュ生地部分からシャツの内外に空気を流通させて通気性を良好とするとともにファッション性にも寄与する。【選択図】      図１  
0003111125.tif 000002
【実用新案登録請求の範囲】
【請求項１】
素肌に直接着用することを目的とするタイプのシャツにおいて、
シャツの背面の首元または肩付近から下部にかけてシャツの生地をＶ字形状またはＵ字形状で切り抜き、該切り抜き部分にメッシュ生地を縫製し、該メッシュ生地部分からシャツの内外に空気を流通させることを特徴とする背中にメッシュ部を有するシャツ。
【請求項２】
素肌に直接着用することを目的とするタイプのシャツにおいて、
シャツの背面の首元または肩付近から下部にかけてシャツの生地をトランプの絵柄，星マーク，円または楕円形状で切り抜き、該切り抜き部分にメッシュ生地を縫製し、該メッシュ生地部分からシャツの内外に空気を流通させることを特徴とする背中にメッシュ部を有するシャツ。
【請求項３】
素肌に直接着用することを目的とするタイプのシャツにおいて、
シャツの背面の首元または肩付近から下部にかけてシャツの生地を文字形状で切り抜き、該切り抜き部分にメッシュ生地を縫製し、該メッシュ生地部分からシャツの内外に空気を流通させることを特徴とする背中にメッシュ部を有するシャツ。
【請求項４】
前記文字形状は、アルファベット，数字，漢字，カタカナ，ひらがな，またはギリシャ文字であることを特徴とする請求項３記載の背中にメッシュ部を有するシャツ。
【請求項５】
前記シャツはＴシャツ，タンクトップ，ノースリーブまたはキャミソールであることを特徴とする請求項１，２，３または４記載の背中にメッシュ部を有するシャツ。
【考案の詳細な説明】
【技術分野】
【０００１】
本考案は、シャツの背中部分の一部をＶ字形状，三角形状，菱形，文字形状，記号などの形状に切り抜き、この部分にメッシュ生地を形成（縫製などにより）して通気性を良好にした、所謂バックメッシュを施したシャツに関する。
【背景技術】
【０００２】
細かい孔（メッシュ孔）を有する生地を通常の生地の一部に用いたり、または一部重ねて用いることにより通気性を良好にしたり、汗を気化させやすくする衣服類が多数提案されている。
上記従来例として衣服やシャツの一部にメッシュ生地を用いたものが引用文献１〜７に開示されている。
引用文献１は、冷却用衣服の表面にメッシュ状の表地を用い、このメッシュ表地を通して防水性裏地の熱を気化熱として奪うようにしたものである。
引用文献２は、肩のヨーク部分をメッシュ素材にして体とＹシャツの間の空気を逃げる道を設け、ドラフト効果を狙ったものである。
引用文献３は、ポロシャツの後身頃の背ヨークの全部及び背ヨーク下端に連結した袖ぐり部沿いの帯状領域にメッシュ部を設けたものであり、ポロシャツ内の湿気，蒸れ，べとつき等の不快感を軽減させ、換気性を良好にすることを目的としたものである。
【０００３】
引用文献４は、肩の部分および腋の下から下部に沿って線状にメッシュ生地を設けた衣服である。
引用文献５は、被服の腋の下部部分を金属化繊維ないし金属網製として、この部分の通気製を良好にした衣服を示している。
引用文献６は、セーラー服の後身頃背・肩部分に蒸れを放出するために開口部を設け、この部分にメッシュ布を当てて縫製したもので、セーラーカラーによって通常は覆われている。
引用文献７は、身頃の背肩部に開口（身頃の肩先から袖ぐりの上部まで広がる大きな面積）を形成し、この開口にメッシュ布を取り付け、身頃の背肩部に開口を覆う覆い布を設け、この覆い布の下端縁と身頃との間に開口に通じる通気用の隙間を確保したもので、これにより背肩部の通気性を十分に確保することがてきるとともにセーラーカラーが舞い上がることがあっても着用の肌着や肌が外見から見えることがないようにしたものである。
【０００４】
上記各例は、シャツや衣服の一部にメッシュ部分を設け、外部と体との間の通気性を良好にしてシャツなどと体との間の熱を放出することを狙ったものである。
【特許文献１】実開平７−２４１７号公報
【特許文献２】実用新案登録第３０９０１９３号
【特許文献３】実用新案登録第３１０６８１３号
【特許文献４】実用新案登録第３０５８０６０号
【特許文献５】実開昭６３−１４５０８号公報
【特許文献６】特開２００１−２７９５１１号
【特許文献７】実用新案登録第３１０６２６５号
【考案の開示】
【考案が解決しようとする課題】
【０００５】
しかしながら、引用文献１は冷却用衣服として通常の生地の上にメッシュ状の表地を設けたもので、直接的に外部と体との間の通気性を確保したものではない。
また、引用文献２は体とＹシャツとの間の熱気を肩の部分から排出するもので、背中などの発汗防止や汗をかいた場合に蒸発させるに十分な機能を果たすことは困難であると考えられる。
さらに引用文献３では腋の下部分に僅かな隙間のメッシュ部を設けたもので、引用文献２と同様に湿気，蒸れ，べとつき等の解消に不十分であると考えられる。引用文献４，５は涼しい衣服を目的として肩部分，袖下，胴の腋または腋下にメッシュ部分を設けたもので、特に汗をかきやすい背中の部分には設けられておらず、しかも下着の上に着用するものであるので、十分な冷却効果は期待できない。
【０００６】
引用文献６，７はセーラー服の後身頃背・肩部分や背肩部のセーラーカラーに隠れる部分にメッシュを設けて、背中部分の通気性を確保するとともに、その際に発生するセーラー服の形状の特有の問題を解決するためのものである。
したがって、背中部分の通気性は十分ではなく、特に下着の上に着用する衣服であることから、熱の放出には十分でないと考えられる。
また、セーラー服のカラーによって隠れる部分であるので、メッシュ部分の形状や模様がファッション性に寄与することは少ない。
【０００７】
本考案は、メッシュを設けたシャツにおける上記諸問題に鑑みなしたもので、その目的は、素肌に直接着用することを目的とするタイプのシャツにおいて、汗を最もかきやすい背肌に対し直に空気を流通させて通気性を良好にし、しかもファッション性に優れた、背中にメッシュ部を有するシャツを提供することにある。
【課題を解決するための手段】
【０００８】
前記目的を達成するために本考案の請求項１は、素肌に直接着用することを目的とするタイプのシャツにおいて、シャツの背面の首元または肩付近から下部にかけてシャツの生地をＶ字形状またはＵ字形状で切り抜き、該切り抜き部分にメッシュ生地を縫製し、該メッシュ生地部分からシャツの内外に空気を流通させることを特徴とする。
本考案の請求項２は、素肌に直接着用することを目的とするタイプのシャツにおいて、シャツの背面の首元または肩付近から下部にかけてシャツの生地をトランプの絵柄，星マーク，円または楕円形状で切り抜き、該切り抜き部分にメッシュ生地を縫製し、該メッシュ生地部分からシャツの内外に空気を流通させることを特徴とする。
本考案の請求項３は、素肌に直接着用することを目的とするタイプのシャツにおいて、シャツの背面の首元または肩付近から下部にかけてシャツの生地を文字形状で切り抜き、該切り抜き部分にメッシュ生地を縫製し、該メッシュ生地部分からシャツの内外に空気を流通させることを特徴とする。
本考案の請求項４は、請求項３記載の考案において前記文字形状は、アルファベット，数字，漢字，カタカナ，ひらがな，またはギリシャ文字であることを特徴とする。
本考案の請求項５は、請求項１，２，３または４記載の考案において前記シャツはＴシャツ，タンクトップ，ノースリーブまたはキャミソールであることを特徴とする。
【考案の効果】
【０００９】
上記構成によれば、Ｔシャツなどにおいて、汗をかきやすい背中への空気の流れが良好となり、発生した汗による蒸れ等を効率的に防止できるとともに発汗を抑えることができる。さらにメッシュを施す部分の形状などを選択することによりＴシャツ，タンクトップ，ノースリーブまたはキャミソールのファッション性を高めることができる。
【考案を実施するための最良の形態】
【００１０】
以下、図面を参照して本考案の実施の形態を詳しく説明する。
図１は、本考案によるシャツの第１の実施の形態を示す概略図である。この例は男女兼用のＴシャツである。襟２の部分と肩部３の部分から背面下に向かってＶ字形に切り抜かれ、この切り抜き部分にメッシュ生地４が縫製されている。メッシュ生地４は、例えば繊維製のメッシュ構造である。
【００１１】
Ｔシャツは通常、素肌に直に使用するため、メッシュ生地４により通気性が良好で、外部とＴシャツと素肌の間の空気が流出入する。このため、発汗作用の大きい背中部分は蒸れることが少なくなるため、汗の発生は抑制され、運動などにより汗をかいたとしても、空気が背中部分に直に接するため、汗を蒸発させ蒸れを防止できる。
また、このようにＶ字形状にメッシュ生地を構成することによりファッション性に寄与することも可能である。
【００１２】
図２は、本考案によるシャツの第２の実施の形態を示す概略図である。この例は女性用ノースリーブであり、メッシュ生地を糸部とメッシュ部で構成することにより模様化したものである。
襟１１の部分から背面下に所定距離だけシャツ幅一杯にメッシュ生地７が形成され、さらに連続して下方向にＶ字状（縁は曲線になっている）に切り抜かれ、この部分にもメッシュ生地７が形成されている。
メッシュ生地７の中央部は縦方向に糸部９，糸状メッシュ部１０が交互になってメッシュ模様７ａが構成されている。このメッシュ模様７ａ部分に向かって右縁および左縁からそれぞれ斜め右方向および斜め左方向に、糸部９，糸状メッシュ部１０が交互になって構成されたメッシュ模様７ｂ，７ｃが形成されている。さらにＶ字領域部分では中央のメッシュ模様７ａに向かって左右の縁から斜め上方向に糸部９，糸状メッシュ部１０が交互になって構成されたメッシュ模様７ｄ，７ｅが形成されている。またＶ字領域部分において上記メッシュ模様７ｄ，７ｅに向かって左右の縁から横方向に糸部９，糸状メッシュ部１０が交互になって構成されたメッシュ模様７ｆ，７ｇが形成されている。
【００１３】
さらにはメッシュ模様７ｂ，７ｃの下縁からメッシュ模様７ｆ，７ｇの上縁に向かって糸部９，糸状メッシュ部１０が交互になって構成されたメッシュ模様７ｈ，７ｉが形成されている。
通気性が良好のみだけでなく、メッシュ生地７が模様状に形成されているため図１に比較し、よりファッション性に優れている
【００１４】
図３は、本考案によるシャツの第３の実施の形態を示す概略図である。この例は男女兼用のタンクトップ１３であり、ロゴをメッシュ部に設けたロゴ浮きタイプである。
首元１８にひも１４が繋がっており、首元１８および肩部１６から下に向けてＶ字形状（縁は曲線になっている）に切り抜かれ、この切り抜き部分にメッシュ生地１５が縫製されている。メッシュ生地１５の上には例えば「Ｌ」「Ｏ」「ハート」「Ｅ」のようなロゴが浮き上がった状態で取り付けられている。このロゴ部分は通常の生地であり、各文字，形状毎に色違いとしている。
この例も首元から背中に向けて通気性が良好で、かつ、ロゴとしてアルファベット，数字，漢字，カタカナ，ひらがな，またはギリシャ文字などを用いることにより、上記図１，図２とは異なる角度からファッション性をアピールすることができる。
【００１５】
図４は、本考案によるシャツの第４の実施の形態を示す概略図である。この例は、男女兼用のユニフォームスタイルのＴシャツで、メッシュ生地を縫製する部分は数字形状にしたものある。
背中部分の襟２１の下部のＴシャツ部分は文字２３（ＡＥＤＭ  ＫＤＧＹＯ）の形状でくり抜かれ、各文字にメッシュが施されている。
背面の上部付近から下部にかけて「７」という文字形状でＴシャツがくり抜かれ、この「７」部分にメッシュ生地２２が縫製されている。そして、「７」の下方のＴシャツ部分も文字２４（ＬＢＵＥＡＮＧＥＬ）の形状でくり抜かれ、各文字にメッシュが施されている。
ユニフォームの数字部分のメッシュ生地から空気が流通し、蒸れなどを防止でき、メッシュ生地の色を青，赤，黒というように替えることにより、よりファッション性を持たせることができる。上記文字２３，２４も色を施すことが容易にできる。
【００１６】
以上の実施の形態ではＴシャツ，タンクトップ，ノースリーブの例を挙げたが、他の種類のシャツとしてキャミソールなどにも適用でき、直接素肌に着用することを目的としたタイプのシャツであるならば、上記名称にこだわることなく本考案を適用できる。
また、Ｖ字形状およびＶ字の類似形状の例を示したが、この他にＵ字形状または三角形，菱形，五角形以上であっても良い。さらにトランプの絵柄，星マーク，円または楕円形状であっても良い。さらには数字以外の文字形状であっても良い。
【００１７】
またロゴとして文字形状のものを示したが、記号などを用いても良い。
さらにメッシュ生地とて繊維製だけでなく、金属製メッシュ，その他の材質のメッシュを用いても良い。メッシュ自体の形は、四角（正方形，長方形），多角形，丸形，楕円形などすべてを含むものである。
【産業上の利用可能性】
【００１８】
素肌に直接着用することを目的とするタイプのシャツである。
【図面の簡単な説明】
【００１９】
【図１】本考案によるシャツの第１の実施の形態を示す概略図である。
【図２】本考案によるシャツの第２の実施の形態を示す概略図である。
【図３】本考案によるシャツの第３の実施の形態を示す概略図である。
【図４】本考案によるシャツの第４の実施の形態を示す概略図である。
【符号の説明】
【００２０】
１  Ｔシャツ（Ｖ字形Ｔシャツ）  
２，１１，２１  襟  
３，１６  肩部  
４，７，１５，２２  メッシュ生地    
５  Ｖ字枠  
６  メッシュ
８  ノースリーブ
９  糸部
１０  メッシュ部
１３  タンクトップ
１４  ひも
１７  ロゴ  
２０  Ｔシャツ（ユニフォームスタイル）
２３，２４  文字  
【図１】
0003111125.tif 000003
【図２】
0003111125.tif 000004
【図３】
0003111125.tif 000005
【図４】
0003111125.tif 000006